(57)【要約】      （修正有）【課題】着用時の快適な被覆性と、身体運動に合うマッサージ効果・ボディメイキング効果が得られる男性向け下着パンツの構造を提供する。【解決手段】前布の中央部分には、僅かに突出した上方弧状ポケット１６、及び底縁がＷ字型に連なって突出した凸弧状の陰嚢ポケット１７が設けられるとともに、上方弧状ポケット及び陰嚢ポケットの下半分の両側には、それぞれ弾性織りの布地からなる上向きＶ字型及び大弧状の上・下部バンド織込み面１８、１９が織り合わされる。【選択図】図１
0003207314.tif 000002
【実用新案登録請求の範囲】
【請求項１】
パンツ本体の前布及び後布と、頂部に設けられて着用に使用される履き口と、底部両側に分岐して設けられた筒形の裾口とが組合されてなる、パンツの構造であって、
前記前布は、男性生殖器官の位置と相対して設けられるとともに、僅かに前方へ凸弧状を呈した上方弧状ポケットが設けられ、
前記上方弧状ポケットの底縁下方におけるパンツ布地面には、凹形状に陥落した陰嚢ポケットが延伸するように接続されて設けられ、
前記上方弧状ポケットの底縁からは、Ｖ字型の弾性織り上部バンド織込み面が、前記前布頂端の履き口における環状ウエストバンド底縁まで延伸して設けられて、吊下げ形状をなすように接続され、
前記陰嚢ポケット両側からは、大弧状のＵ字型を呈し且つ弾性織物で織られた下部バンド織込み面が、前記後布とつながる側辺の位置まで延伸して設けられ、
更に、着用時に弾性収束力による補助を提供して、パンツ着用の快適さと健康的な被覆・支持を補助するために、Ｖ字型及び大弧状Ｕ字型の弾性上・下部バンド織込み面が織り合わされることを特徴とする、パンツの構造。
【請求項２】
更に、前記上方弧状ポケットにおける凸弧状は、自然に下垂した曲線構造をなすように設けられることを特徴とする、請求項１に記載のパンツの構造。
【請求項３】
更に、前記陰嚢ポケットは、二つの凹形状からなるＷ字型の弧状を呈するように設けられることを特徴とする、請求項１に記載のパンツの構造。
【請求項４】
更に、前記上方弧状ポケットの突出した凸弧状の最外部は、前記本体表面上方から３ｃｍ以内になるように設けられることを特徴とする、請求項１或は２のいずれか一つに記載のパンツの構造。
【考案の詳細な説明】
【技術分野】
【０００１】
本考案は、パンツに関し、特に、生殖器官をしっかり被覆・収容するとともにマッサージの実用性を兼ね備えて健康的且つ快適に使用出来る、パンツの構造に関する。
【背景技術】
【０００２】
一般的な従来のパンツ・肌着製品の構造と使用については、デザイン開発の際に通気性と着心地の良さに重点が置かれることが常であり、近年では、各種の快適素材の研究開発や、様々な抗菌・脱臭効果のある素材が開発されている。特にパンツの着用については、接触する皮膚がいずれも敏感な部位であることに加えて、着用時間が長いため、パンツ製品の使用時には長時間接触における快適さと保護機能が求められる。また、現代人の衣服着用に対する要求は、重層構造に始まり、更には快適さや安全性、健康にまで及んでいる。従来のパンツ構造では、通常、通気性と快適さ、及びフィット感等の体形との適合性だけに重きが置かれており、健康を重視する補助的構造については健康的な素材の使用に留まっており、明らかに不足している。特に、パンツが被覆して保護するのは、世代をつなぐための重要な生殖器官であるため、織物技術と適切な外観構造の変更を組合わせることで、健康とボディメイキングの補助機能を実現し、パンツの構造と使用価値を向上させることが必要である。これこそ、本考案が積極的に研究開発する構造の要である。
【考案の概要】
【考案が解決しようとする課題】
【０００３】
上記に鑑み本考案は、着用の際に実用性と健康上の需要に合わないという従来のパンツ製造を改善するため、縫合時に布地織りの進歩性を生かしつつ、これに改良を加えたパンツの構造、即ち、パンツの前布が男性生殖器官と相対して設けられるとともに、それぞれ実際の被覆時の快適性に応じて、中央が僅かに凸弧状の上方弧状ポケット及び底部が連なった陰嚢ポケットがそれぞれ設けられ、且つＶ字型及び大弧状Ｕ字型の弾性バンド織込み面が、後布とつながった両側の位置へ延伸するように織り合わされることで、着用時の快適な被覆性と、身体運動に合わせたマッサージ・接触・支持による健康効果が得られ、以上により、従来のパンツにおける健康上の実用性不足という欠点を効果的に克服することが可能な、パンツの構造を提供することを目的とする。
【課題を解決するための手段】
【０００４】
上述の目的を達成するために、本考案は、パンツの前布が男性生殖器官と相対する位置に設けられるとともに、着用時に求められる被覆性に応じて、前布における対応する位置に、それぞれ上方弧状ポケット及びＷ字型の大弧状底縁を有する陰嚢ポケットが、僅かに外向きに凸弧状を呈して設けられ、且つ上方弧状ポケット及び陰嚢ポケット底縁両側には、それぞれ大Ｖ字型及び大弧状Ｕ字型の波形弾性織りからなるバンド織込み面が、両側の後布との接続箇所まで延伸して設けられることで、上向きに収束する補助力を提供する。以上により、適切に着用した後、人体の生殖器外観の完全な被覆と着心地の良さが達成されるとともに、生殖器官をきちんと分離して収容し、且つ身体運動に伴うマッサージという補助効果を兼ね備え、これによりパンツ着用時に、被覆の快適さとボディメイキング、及び健康という実用効果と目的が達成される。
【図面の簡単な説明】
【０００５】
【図１】本考案のパンツの外観を示した斜視図である。
【図２】本考案の着用を示した概略図である。
【図３】本考案の着用を示した側方視図である。
【考案を実施するための形態】
【０００６】
本考案のパンツの構造は、一般男性に健康的な着用を提供するための構造である。図１〜３を参照する。特殊な防臭抗菌の混合処理が施された竹炭繊維と従来の混紡繊維素材が、共に混合されて織られることでパンツに使用される布地が作られる。尚、これは本考案の特徴ではないため、仕様についての詳述はしない。パンツの本体１０は、前布１１と後布１２が相対して組合わされてなるとともに、前後対称となるようにつながった形状を呈し、且つ通常は開口部が直線の形状（トランクス型）や三角形状のパンツ構造をなして、着用される。本体１０の上縁には履き口１３が縁取るように設けられ、履き口１３の辺縁全体は、弾性ウエストバンド１４によって縁取られて作成されることで、着用後に腰周りが位置決めされる。本体１０の底部両側は、逆Ｖ字型を呈して交差した二股形状の筒形構造をなし、且つ二股形状の二つの筒形底縁には、開口した裾口１５が設けられる。以上の組合せによって、パンツの外観形状が完成する。本考案の主な改良点は以下の通りである。前布１１は、男性生殖器官と相対する位置に設けられるとともに、それぞれ実際に求められる被覆時の位置決め及び着心地の良さに応じて、僅かに前方へ凸弧状を呈した上方弧状ポケット１６が設けられる。上方弧状ポケット１６の凸弧状は、自然に下垂した曲線形状をなすことが望ましく、下半分の位置における凸弧状の最外部は、本体１０の表面上方から３ｃｍ以内にあることが美観上望ましい。また、上方弧状ポケット１６の底縁下方には、パンツ表面から延伸するように、二つの凹形状からなるＷ字型の弧状を呈した陰嚢ポケット１７が接続されることで、一般男性の生殖器外観がきちんと区分されて収容・被覆・支持される。更に上方弧状ポケット１６下方底縁には、Ｖ字状の弾性織り上部バンド織込み面１８が、両側へ延伸するとともに前布１１頂端の履き口１３における環状ウエストバンド１４底縁まで至るように設けられ、且つ弾性バンド面が吊下げ形状をなして接続されることで、着用後の布地面が平らにフィットするようになる。陰嚢ポケット１７両側には、弾性織物で織られた下部バンド織込み面１９が、大きく弧状に湾曲したＵ字型をなして設けられるとともに、後布１２とつながる側辺の位置まで至るように縫合される。更に、Ｖ字型、及び大弧状Ｕ字型の弾性上・下部バンド織込み面１８・１９が織り合わされて、それぞれパンツ頂部の履き口１３におけるウエストバンド１４底縁、及び後布１２とがつながる両側側面まで延伸することで、着用時に適切な弾性収束力と吊下げ支持の補助力が得られ、これにより着用時の位置決めと同時に、被覆された生殖器が器官の外観に応じて、それぞれ収容・被覆・位置決めされる。また、良好な被覆性が得られるだけでなく、分離収容による被覆によって、皮膚が互いにくっ付いたり蒸れたりして不快感を生じることが無くなる。更に、陰嚢ポケット１７のＷ字型による特殊被覆構造により、精子を産生する生殖器である睾丸と陰嚢が安全にフィットするように被覆・支持され、且つ身体活動の際に、体の動作の変化に合わせたマッサージ効果と接触の快適さによる健康効果を兼ね備えることが出来る。これにより、相対的に無理のない運動効果が得られて、生命活動のリラックス状態が保たれるため、現代人の仕事・生活ストレスや運動不足によって生じる男性の生殖能力の問題に対して、良好な改善効果と健康維持効果が得られる。また、パンツ着用における身体へのフィット特性については、上述の構造で製造されることで、人の健康維持を持続的且つ確実なものにすることが出来る。特に現代では、消臭抗菌竹炭繊維や弾性繊維、及び一般的な混紡繊維が共に混紡織物として製造された様々なパンツ用の布地や特殊織りの布目配列が開発されており、これらを組合わせることで、快適な柔軟性を備えた被覆面を製造して、敏感な皮膚表面に安全で通気性の高い快適な接触感を提供することが可能である。特に本考案は、凸弧状のポケットと、湾曲して両側へ延伸した弾性織りの上・下部バンド織込み面１８・１９による収束補助力が組合されることで、着用後に相応の吊下げ支持による位置決め補助が得られるため、着用時には身体にフィットし、活動時には関連器官や経穴が弾性的にマッサージされるという補助効果が得られる。この身体健康に対する利点は、決して一般的に見られるパンツの構造が保有或は比類するものでは無い。また、後布１２は、臀部と相対する位置に設けられるとともに、快適な弾性を備えた被覆用布地からなり、且つ臀部の凸弧状曲線に沿って被覆する外縁面は、特殊布目の弾性繊維で輪郭を固定補助することにより、着用後の臀部の下方支持を補助することが出来る。これにより、臀部外観の曲線が更にくっきりと引立つという効果が得られる。以上により、パンツの着用において、フィット感と美観、健康と快適さ、安全性という実用効果と目的が達成される。
【０００７】
本考案の特長は以下の通りである。パンツの前布１１は、男性生殖器を被覆する位置に設けられるとともに、前方へ僅かに突出した上方弧状ポケット１６及び底部がＷ字型に連なった陰嚢ポケット１７が予め縫合された構造をなす。これにより、パンツが適切に着用された時、生殖器官全体の外観が、完全且つ区分けされて収容・被覆されるとともに、上方弧状ポケット１６及び陰嚢ポケット１７両側における弧状の弾性上・下部バンド織込み面１８・１９が組合されて、弾性的な収束補助力を提供することで、活動時に応じて関連器官や近接する関元穴等が適切にマッサージされるため、着用の着心地の良さと健康上の実用効果が達成される。以上により、パンツ着用時、男性に全方位的な着心地の良さと健康・安全という実用効果を提供することが出来るため、本考案は、パンツのための全く新しい構造であり、健康上の実用性に適う新規的な構造であると言える。
【符号の説明】
【０００８】
１０    本体
１１    前布
１２    後布
１３    履き口
１４    ウエストバンド
１５    裾口
１６    上方弧状ポケット
１７    陰嚢ポケット
１８    上部バンド織込み面
１９    下部バンド織込み面
【図１】
0003207314.tif 000003
【図２】
0003207314.tif 000004
【図３】
0003207314.tif 000005